(57)【要約】（１）製造ラインの構築に必要なスペースの幅を、従来の場合に比べて大幅に低減することができ、（２）製造されたカバーをトレーに適用した際には、カバーにおけるトレー内に収納された食料品に対面する面に埃等が吸着されることは可及的に防止され、（３）比較的薄いフィルムを使用しても、適切な搬送に必要な所謂腰の強さを得ることができ、（４）製造後に比較的煩雑な折り畳み工程を遂行する必要がない、合成樹脂製カバーを製造する方法を提供する。細長いチューブ状合成樹脂フィルム（２０ａ）を準備する準備工程と、準備工程の後に、チューブ状合成樹脂フィルム（２０）の少なくとも片側部を幅方向内側に強制して蛇腹状折込部（２０ａ）を形成する折込工程と、折込工程の後に、折込部の半径方向内側端（２０ａ−１）を切断して積層部を形成する切断工程と、折込工程の後に、長手方向に間隔をおいて折込部を溶着して溶着ライン（６ａ、６ｂ）を形成する溶着工程とを含む。【選択図】図５
2017217414.tif 000002
【特許請求の範囲】
【請求項１】
両側部には表面から裏面に向けて折り畳み、非折り畳み部と折り畳み部とを積層した積層部が存在し、該積層部の長手方向両端部には該非折り畳み部と該折り畳み部とを溶着した溶着ラインが配設されている、合成樹脂フィルム製カバーを製造する方法にして、
細長いチューブ状合成樹脂フィルムを準備する準備工程と、
該準備工程の後に、該チューブ状合成樹脂フィルムの少なくとも片側部を幅方向内側に強制して蛇腹状折込部を形成する折込工程と、
該折込工程の後に、該折込部の半径方向内側端を切断して該積層部を形成する切断工程と、
該折込工程の後に、長手方向に間隔をおいて該折込部を溶着して該溶着ラインを形成する溶着工程と、
を含むことを特徴とする方法。
【請求項２】
該折込工程においては、該チューブ状合成樹脂フィルムの両側部を幅方向内側に強制して該チューブ状合成樹脂フィルムの両側部に蛇腹状折込部を形成し、
該切断工程においては、該チューブ状合成樹脂フィルムの片側部に存在する該折込部のみの半径方向内側端を切断し、
該溶着工程においては、該チューブ状合成樹脂フィルムの該片側部に存在する該折込部のみにおいて長手方向に間隔をおいて該折込部を溶着する、
請求項１記載の方法。
【請求項３】
該溶着工程においては、下流側に位置するカバー用合成樹脂フィルムにおける上流側溶着ラインと上流側に位置するカバー用合成樹脂フィルムの下流側溶着ラインとが同時に形成され、
該溶着工程の後に、該細長いチューブ状合成樹脂フィルムを該上流側溶着ラインと該下流側溶着ラインとの間において幅方向全体に渡って切断する分離工程を含む、
請求項１又は２記載の方法。
【発明の詳細な説明】
【技術分野】
【０００１】
本発明は、両側部には表面から裏面に向けて折り畳み、非折り畳み部と折り畳み部とを積層した積層部が存在し、かかる積層部の長手方向両端部には非折り畳み部と折り畳み部とを溶着した溶着ラインが配設されている合成樹脂フィルム製カバーを製造する方法に関する。
【背景技術】
【０００２】
例えば、菓子パンの如き食料品、精密機器、電子部品基盤の如き工業製品或いは化学薬品が収容された容器を収納して搬送するためのトレーとして、全体として直方体形状であり上面が開放された箱状のトレーが広く実用に供されている。通常、トレーの上面には両側壁及び両端壁の上端から外側に張り出したフランジが形成されている。そして、下記特許文献１に開示されている如く、食料品等を収納したトレーの上面を覆う合成樹脂フィルム製のトレー用カバーも提案され、実用に供されている。この合成樹脂フィルム製のトレー用カバーは、その両側部には、表面から裏面に向けて折り畳み、非折り畳み部と折り畳み部とを積層した積層部を備え、積層部の長手方向両端部には非折り畳み部と折り畳み部とを溶着した溶着ラインが配設されている。かようなカバーは、カバーの片端両側部に配設されている溶着ラインの内側に規定されているポケット状部をトレーの上面片端両側に存在するフランジ角部に係止し、次いでカバーをトレーの上面に沿って延在せしめ、カバーの他端両側部に配設されている溶着ラインの内側に規定されているポケット状部をトレーの上面他端両側に存在するフランジ角部に係止することによってトレーに装着され、トレーの開放された上面を覆う。【０００３】
上述したとおりの形態のカバーは、従来、下記特許文献１にも開示されている如く、矩形状に延在せしめられた合成樹脂フィルムの両側部において、表面から裏面に向けて折り畳んで非折り畳み部と折り畳み部とを積層して積層部を形成し、次いで積層部の長手方向両端部において非折り畳み部と折り畳み部を溶着して溶着ラインを配設することによって製造されている。
【先行技術文献】
【特許文献】
【０００４】
【特許文献１】ＥＰ１６４２８４１Ａ２公報
【発明の概要】
【発明が解決しようとする課題】
【０００５】
而して上述したとおりの合成樹脂製カバーを製造する従来の方法には、（１）合成樹脂フィルムを帯状に拡げた状態で搬送しながら折り畳み工程及び溶着工程を遂行する故に、製造ラインの構築に比較的広いスペースを必要とする、（２）摩擦帯電された合成樹脂フィルムの表面及び裏面に埃等が吸着され、特に上記したトレーに収納されている食料品、工業製品或いは化学薬品が収容された容器に対面する裏面に吸着された埃等は、食料品に関しては衛生上の問題を生成し、工業製品に関しては誤動作等の不具合を発生させ、化学薬品が収容された容器に関しては容器内に進入しこれに収容された化学薬品を汚染させる虞がある、（３）搬送の容易性を確保するために比較的厚い合成樹脂フィルムを原材料として使用することが必要であり（極めて薄く、従って所謂腰の強さが著しく小さい帯状合成樹脂フィルムを所要とおりに搬送することは相当困難である）、製造コストが比較的高価である、（４）製造された多数のカバーを出荷する際には、出荷物の幅方向寸法を低減するためにカバーを長手方向中心軸線を中心として折り畳むことを望まれ、従って製造の後に比較的煩雑な折り畳み工程を遂行することが必要ある、という解決すべき問題が存在する。【０００６】
本発明は、上記事実に鑑みてなされてものであり、その主たる技術的課題は、合成樹脂製カバーを製造する従来の方法に存在する上記問題が解決された、新規且つ改良された方法を提供することである。
【課題を解決するための手段】
【０００７】
本発明者等は、鋭意検討の結果、原材料として帯状の合成樹脂フィルムではなく細長いチューブ状の合成樹脂製フィルムを使用し、かかるチューブ状の合成樹脂フィルムに所要加工を施してカバーを製造することによって、上記主たる技術的課題を達成することができることを見出した。【０００８】
即ち、本発明によれば、上記主たる技術的課題を達成する方法として、両側部には表面から裏面に向けて折り畳み、非折り畳み部と折り畳み部とを積層した積層部が存在し、該積層部の長手方向両端部には該非折り畳み部と該折り畳み部とを溶着した溶着ラインが配設されている、合成樹脂フィルム製カバーを製造する方法にして、
細長いチューブ状合成樹脂フィルムを準備する準備工程と、
該準備工程の後に、該チューブ状合成樹脂フィルムの少なくとも片側部を幅方向内側に強制して蛇腹状折込部を形成する折込工程と、
該折込工程の後に、該折込部の半径方向内側端を切断して該積層部を形成する切断工程と、
該折込工程の後に、長手方向に間隔をおいて該折込部を溶着して該溶着ラインを形成する溶着工程と、
を含むことを特徴とする方法が提供される。【０００９】
好ましくは、該折込工程においては、該チューブ状合成樹脂フィルムの両側部を幅方向内側に強制して該チューブ状合成樹脂フィルムの両側部に蛇腹状折込部を形成し、該切断工程においては、該チューブ状合成樹脂フィルムの片側部に存在する該折込部のみの半径方向内側端を切断し、該溶着工程においては、該チューブ状合成樹脂フィルムの該片側部に存在する該折込部のみにおいて長手方向に間隔をおいて該折込部を溶着する。該溶着工程においては、下流側に位置するカバー用合成樹脂フィルムにおける上流側溶着ラインと上流側に位置するカバー用合成樹脂フィルムの下流側溶着ラインとが同時に形成され、該溶着工程の後に、該細長いチューブ状合成樹脂フィルムを該上流側溶着ラインと該下流側溶着ラインとの間において幅方向全体に渡って切断する分離工程を含むのが好適である。
【発明の効果】
【００１０】
本発明の方法によれば、（１）幅方向寸法が製造されるカバーの幅よりも相当小さいチューブ状合成樹脂フィルムを搬送しながら所用工程が遂行される故に、製造ラインの構築に必要なスペースの幅を、従来の場合に比べて大幅に低減することができ、（２）製造されたカバーをトレーに適用した際には、カバーにおけるトレー内に収納された食料品等に対面する面はチューブ状合成樹脂フィルムの外部に露呈した外面ではなくて内面によって規定されるため、かかる面に埃等が吸着されることは可及的に防止され、（３）チューブ状合成樹脂フィルムを搬送する故に、帯状フィルムを搬送する場合に比べて少なくとも半分の厚さのフィルムを使用しても、適切な搬送に必要な所謂腰の強さを得ることができ、製造コストを相当低減することができる、（４）カバーはその長手方向中心軸線を中心として折り畳まれた形態で製造されるため、製造後に比較的煩雑な折り畳み工程を遂行する必要がない。
【図面の簡単な説明】
【００１１】
【図１】本発明の方法の好適実施形態によって製造された合成樹脂製カバーの典型例を示す斜面図。
【図２】図１に示すカバーが適用される容器の一例であるトレーの典型例を示す斜面図。
【図３】本発明の方法における準備工程及び折込工程の好適実施形態を示す簡略図。
【図４】図３に示す折込工程に使用されている折込工具を示す斜面図。
【図５】本発明の方法における切断工程、溶着工程及び分離工程の好適実施形態を示す簡略図。
【図６】本発明の方法の好適実施形態によって製造されたカバーを製造されたままの状態で示す斜面図（ａ）及び横断面図（ｂ）。
【図７】本発明の方法の変形実施形態によって製造されたカバーを製造されたままの状態で示す斜面図（ａ）及び横断面図（ｂ）。
【図８】本発明の方法の好適実施形態によって製造された合成樹脂製カバーの変形例を示す斜面図。
【発明を実施するための形態】
【００１２】
以下、添付図面を参照して、合成樹脂製カバーを製造する本発明の方法の好適実施形態について更に詳細に説明する。
【００１３】
図１には、本発明の方法によって製造された合成樹脂製カバーの典型例が図示されている。全体を番号２で示すカバーは、厚さが０．０２０乃至０．０８０ｍｍ程度のポリエチレンフィルムの如き適宜の合成樹脂フィルムから形成されており、その両側部には積層部４ａ及び４ｂが存在する。積層部４ａ及び４ｂの各々は、所要幅方向寸法の両側端部を表面から裏面に向けて折り畳み、非折り畳み部４ａ−１及び４ｂ−１と折り畳み部４ａ−２及び４ｂ−２とを積層して形成されている。積層部４ａ及び４ｂ間に位置する主部６は単層のフィルムによって規定されている。
【００１４】
積層部４ａ及び４ｂの各々の長手方向両端部には、非折り畳み部４ａ−１及び４ｂ−１と折り畳み部４ａ−２及び４ｂ−２とを溶着して形成される溶着ライン６ａ及び６ｂが配設されている。溶着ライン６ａ及び６ｂの各々は積層部４ａ及び４ｂを幅方向に延びる適宜の形態のラインでよく、図示の典型例においては、長手方向内側に向かって凸状の幅方向内側弧状ライン６ａ−１及び６ｂ−１と長手方向外側に向かって凸状の幅方向外側弧状ライン６ａ−２及び６ｂ−２とを接続した形態である。溶着ライン６ａ及び６ｂ各々の長手方向内側には、ポケット状部８ａ及び８ｂが規定されている。
【００１５】
図２には、図１に示すとおりのカバー２が適用される容器の一例であるトレーが図示されている。ポリプロピレン又はポリエチレンの如き適宜の合成樹脂から射出成型法によって形成することができる、全体を番号１０で示すトレーは、全体として直方体形状であり上面が開放された箱状である。トレー１０の開放された上面には両側壁１２及び両端壁１４上端から外側に張り出した矩形フランジ１６が形成されている。図示のトレーにおいては、両側壁１２及び両端壁１４の下端部外面は主部外面よりも幾分後退せしめられており、トレー１０の下端部外形は主部外形よりも幾分小さく設定されている。そして、トレー１０の４角部の外面には外形が低減せしめられた上記下端部外面の直上方から外方に張り出すＬ字形状のフランジ１８が形成されている。トレー１０を積み重ねる際には、上段のトレー１０の下端部、即ち両側壁１２及び両端壁１４の幾分後退せしめられた下端部、が下段のトレー１０内に没入され、上段のトレー１０の４個のＬ字状フランジ１８が下段のトレー１０の上面に形成されている矩形フランジ１６の角部上面上に載置される。かようなトレー１０自体は周知の形態であるので、その詳細な説明は本明細書においては省略する。
【００１６】
図２に図示するとおりのトレー１０に図１に図示するとおりのカバー２を適用する際には、カバー２の片端両側部に規定されている上記ポケット部８ａ及び８ｂをトレー１０の上面に形成されている矩形フランジ１６の片端両側部に係止し、次いでカバー２をトレー１０の上面に沿って延在せしめ、カバー他端両側部に規定されているポケット状部８ａ及び８ｂをトレー１０の上面に形成されている矩形フランジ１６の他端両側部に係止せしめ、かくしてトレー１０にカバー２を装着してトレー１０の開放されている上面をカバー２で覆う。図２には、上述した通りにしてトレー１０に装着されたカバー２を二点鎖線で図示している。
【００１７】
次に、上述したとおりのカバー２を製造する本発明の方法の好適実施形態について詳述する。
【００１８】
準備工程
本発明の方法においては、シート状の合成樹脂フィルムではなくて、チューブ状合成樹脂フィルムを準備することが重要である。図３を参照して説明すると、図示の実施形態においては、充分に長いチューブ状合成樹脂フィルム２０を平坦な形態にせしめロール状に巻いて送出ローラ２２に装備する。
【００１９】
折込装置
送出ローラ２２から巻き出された合成樹脂フィルム２０は、折込装置２４に送り込まれる。折込装置２４は搬入ローラ対２６、折込器２８及び搬出ローラ対３０を含んでいる。図示の実施形態においては、搬入ローラ対２６と搬出ローラ対３０とは上下方向に所要距離離隔して配置されており、折込器２８は搬入ローラ対２６と搬出ローラ対３０との間に配設されている。図３と共に図４を参照して説明すると、硬質厚紙或いは金属薄板を適宜に変形及び接合して形成することができる折込器２８は、全体として上流端（上端）及び下流端（下端）が開口した中空箱形状であり、前壁３２と後壁３４とは下流に向かって、夫々、後方及び前方に傾斜せしめられており、前壁３２と後壁３４との間隔は下流に向かって漸次減少せしめられている。片側壁３６と他側壁３８とは上流端部においては平坦であるが、上流端部から下流端に渡っては下流に向かって前方に傾斜して且つ下流に向かって幅方向内側に傾斜して延びる折線４０及び下流に向かって後方に傾斜して且つ下流に向かって幅方向内側に傾斜して延びる折線４２によって折り畳まれており、下流端においては略Ｘ字形状の開口が規定されている。
【００２０】
折込工程
送出ロール２２から巻き出された合成樹脂フィルム２０は、搬入ローラ対２６間に挟み込まれ、次いで折込器２８内を通して搬出ローラ対３０間に挟み込まれる。この際には、図３を参照することによって明確に理解される如く、搬入ローラ対２６と搬出ローラ対３０との間において合成樹脂フィルム２０内に所要圧力の圧縮空気が充填されて密封される。かようにして折込装置２４に合成樹脂フィルム２０がセットされると、送出ローラ２０、搬入ローラ対２６及び搬出ローラ対３０が矢印で示す方向に回転駆動され、合成樹脂フィルム２０は折込器２８内を通して搬送される。合成樹脂フィルム２０が折込器２８内を通して搬送される間には、圧縮空気の作用によって合成樹脂フィルム２０の断面形状が折込器２８の内側断面形状に対応した形状に漸次変形される。即ち、合成樹脂フィルム２０の両側部が幅方向内側に強制されて、合成樹脂フィルム２０の断面形状が折込器２８の下流端の断面形状に対応した形状に変形され、両側部に蛇腹状折込部２０ａ及び２０ｂが形成される。搬出ローラ対３０から搬出される合成樹脂フィルム２０は適宜の巻取ローラ（図示していない）に巻き取ることができる。所望ならば、搬出ローラ対３０から搬出される合成樹脂フィルム２０を、後述する切断、溶着及び分離装置に直接的に搬送することもできる。
【００２１】
切断・溶着・分離装置
上述したとおりにして両側部に蛇腹状折込部２０ａ及び２０ｂが形成された合成樹脂フィルム２０は、一旦巻取ローラ（図示していない）に巻き取られた後に或いは上記折込装置２４の搬出ローラ対３０から直接的に、図５に図示する切断・溶着・分離装置４４に送り込まれる。図示の切断・溶着・分離装置４４は、搬入ローラ対４６、切断具４８、溶着手段５０、搬出ローラ対５２及び分離手段５４を含んでいる。搬入ローラ対４６及び搬出ローラ対５２は矢印で示す方向に間歇的に回転駆動され、合成樹脂フィルム２０を矢印で示す方向に、カバー２の長手方向長さだけ繰り返し間歇的に搬送する。
【００２２】
切断工程
図示の実施形態における切断具４８は、矩形切欠の底縁に配設された切断刃５６を有する板状片から構成されており、合成樹脂フィルム２０の片側の折込部２０ａに対向して位置付けられ、切断刃５６は折込部２０ａの半径方向内側縁２０ａ−１に対向して位置する。従って、合成樹脂フィルム２０が矢印で示す方向に搬送される間には、切断刃５６によって折込部２０ａの半径方向内側縁２０ａ−１が切断され、これによって非折り畳み部と折り畳み部とが積層された形態の上側積層部と折り畳み部と非折り畳み部とが積層された形態の下側積層部との２個の積層部が形成される（これらの２個の積層部はカバー２の積層部４ａ及び４ｂを構成する）。
【００２３】
溶着工程
図示の溶着手段５０は、合成樹脂フィルム２０の上方及び下方に配設された上側溶着ブロック５８及び下側溶着ブロック６０並びに合成樹脂フィルム２０の折込部２０ａに形成された上記２個の積層部の間に位置せしめられた中間テーブル盤６２を含んでいる。上側溶着ブロック５８の下面には、先のカバーにおける上流側溶着ライン６ａと次のカバーにおける下流側溶着ライン６ａとに対応した加熱溶着突条（図示していない）が形成されており、同様に下側溶着ブロックの上面には、先のカバーにおける上流側溶着ライン６ｂと次のカバーにおける下流側溶着ライン６ｂとに対応した加熱溶着突条（図示していない）が形成されている。合成樹脂フィルム２０の搬送が中断されている間に、上側溶着ブロック５８が下降されて合成樹脂フィルム２０における上記上側積層部を介在せしめて中間テーブル盤６２の上面に押圧されると共に、下側溶着ブロック６０が上昇されて合成樹脂フィルム２０のおける上記下側積層部を介在せしめて中間テーブル盤６２の下面に押圧され、かくして合成樹脂フィルム２０における上記上側積層部の非折り畳み部と折り畳み部とが溶着されて隣接した２個の溶着ライン６ａが形成され、そしてまた合成樹脂フィルム２０における上記下側積層部の折り畳み部と非折り畳み部とが溶着されて隣接した２個の溶着ライン６ｂが形成される。合成樹脂フィルム２０における上記上側積層部と上記下側積層部との間には中間テーブル盤６２が存在するので、上記上側積層部と上記下側積層部とが溶着されることはない。次いで、上側溶着ブロック５８が元の位置に上昇されると共に下側溶着ブロック６０が元の位置に下降され、しかる後に合成樹脂フィルム２０の間歇的搬送が遂行される。
【００２４】
分離工程
搬出ローラ対５２の下流側に配設された分離手段５４は、相互に協働する上側切断刃６４と下側切断刃６６とを有する。合成樹脂フィルム２０の搬送が中断されている間に、上側切断刃６４が下降されると共に下側切断刃６６が上昇され、下流側のカバーのための溶着ライン６ａ及び６ｂと上流側カバーのための溶着ライン６ａ及び６ｂとの間において合成樹脂フィルム２０が幅方向全体に渡って切断され、かくして１枚の完成されたカバー２が合成樹脂フィルム２０から分離される。次いで、上側切断刃６４が上昇されて元の位置に戻されると共に下側切断刃６６が下降されて元の位置に戻され、しかる後に合成樹脂フィルム２０の間歇的搬送が遂行される。図６ａ及び図６ｂは、上記のとおりにして製造されたカバー２を、理解を容易にするためにその折り畳み方向間隙を拡大して示す斜面図及び横断面図である。
【００２５】
製造されたカバー２は合成樹脂フィルム２０から分離されたままの状態、即ち図６ａ及び図６ｂに図示するとおりの状態、で重ね合わせて包装し、出荷することができる。カバー２を使用する際には、切断させることなく残留している折込部２０ｂを開くと共に積層部４−１と積層部４−２とが両側部に位置するように広げればよい。
【００２６】
上述したとおりの本発明の方法によれば、（１）チューブ状合成樹脂フィルム２０を搬送しながら所用工程が遂行される故に、シート状合成樹脂フィルムを搬送する場合に比べて製造ラインの構築に必要なスペースの幅方向寸法を大幅に低減することができ、（２）完成され出荷される状態のカバー２をトレー１０に適用した際には、カバー２におけるトレー１０に収納されている食料品、工業製品或いは化学薬品が収容された容器に面する面は外部に露呈することがない内側面であり、従って製造の際或いは出荷の際にカバー２におけるトレー１０に収納された食料品、工業製品或いは化学薬品が収容された容器に面する面に埃等が付着することが可及的に防止され、（３）製造の際には平坦な形態にせしめられた（従って２層に積層された形態にせしめられた）チューブ状合成樹脂フィルム２０が搬送され、従って比較的薄い合成樹脂フィルムを使用しても搬送に充分な所謂腰の強さを得ることができ、原材料コストを相当低減することができ、更に（４）カバー２は所要形態に折り畳まれた形態で完成される故に、出荷に際してカバー２のコンパクト化を図るために比較的煩雑な折り畳み工程を遂行する必要がない。
【００２７】
以上、添付図面を参照して本発明の方法の好適実施形態について詳細に説明したが、本発明はかかる実施形態に限定されるものではなく、本発明の範囲を逸脱することなく種々の変形乃至修正が可能である。例えば、上述した実施形態においては、折込工程においてチューブ状合成樹脂フィルム２０の両側部を折り込んで両側部に蛇腹状折込部２０ａ及び２０ｂを形成しているが、所望ならば、チューブ状合成樹脂フィルム２０の片側のみを折り込んで片側部のみに蛇腹状折込部２０ａを形成する（蛇腹状折込部２０ｂは形成しない）こともできる。図７ａ及び図７ｂは、かようにして形成されたカバー２を、理解を容易にするためにその折り畳み方向間隙を拡大して示す斜面図及び横断面図である。
【００２８】
また、本発明の方法によって製造されるカバーは、上端部にフランジが設けられた上述したとおりのトレーの上面を覆うものに限定されず、上端部にフランジが存在しない形態のトレー、直方体又は立方体形状での収納容器等の上面を覆うために使用することもできる。上端部にフランジが存在しない形態のトレー、直方体又は立方体形状の収納容器に適用するカバーの場合には、溶着ライン６ａ及び６ｂを、長手方向内側に向かって凸状の幅方向内側弧状ライン６ａ−１及び６ｂ−１と長手方向外側に向かって凸状の幅方向外側弧状ライン６ａ−２及び６ｂ−２とを接続した形態とすることに替えて、図８に図示する如く、溶着ライン６´ａ及び６´ｂを、長手方向端縁から長手方向内側に向かって幅方向外側に傾斜して直線状に延び、長手方向に対する傾斜角度αが４５度以上、特に４５乃至６５度程度である形態にするのが好適である。上記傾斜角度αが４５度以上、特に、４５乃至６５度程度である場合には、カバーを容器に装着した際にカバーの積層部４´ａ及び４´ｂがトレー又は収納容器の外周面に接近する方向に強制され、風等によりカバーがトレー又は収納容器から離脱してしまうことが可及的に防止されることとなる。
【符号の説明】
【００２９】
２：カバー
４ａ：積層部
４ｂ：積層部
６ａ：溶着ライン
６ｂ：溶着ライン
１０：トレー
２０：チューブ状合成樹脂フィルム
２０ａ：蛇腹状折込部
２０ｂ：蛇腹状折込部
２４：折込装置
２８：折込器
４４：切断・溶着・分離装置
４８：切断具
５０：溶着手段
５４：分離手段
【図１】
2017217414.tif 000003
【図２】
2017217414.tif 000004
【図３】
2017217414.tif 000005
【図４】
2017217414.tif 000006
【図５】
2017217414.tif 000007
【図６】
2017217414.tif 000008
【図７】
2017217414.tif 000009
【図８】
2017217414.tif 000010
【手続補正書】
【提出日】平成30年5月8日(2018.5.8)
【手続補正１】
【補正対象書類名】明細書
【補正対象項目名】０００６
【補正方法】変更
【補正の内容】
【０００６】
本発明は、上記事実に鑑みてなされたものであり、その主たる技術的課題は、合成樹脂製カバーを製造する従来の方法に存在する上記問題が解決された、新規且つ改良された方法を提供することである。
【手続補正２】
【補正対象書類名】明細書
【補正対象項目名】００１４
【補正方法】変更
【補正の内容】
【００１４】
積層部４ａ及び４ｂの各々の長手方向両端部（「積層部４ａ及び４ｂの各々の長手方向両端部」は、積層部４ａ及び４ｂの各々の長手方向即ち細長く延在する方向における中間部分ではなくて両端部分に位置する部分であり、図２に図示するトレー１０の矩形フランジ１６の４角部の各々に対応して位置する部分を意味する）には、非折り畳み部４ａ−１及び４ｂ−１と折り畳み部４ａ−２及び４ｂ−２とを溶着して形成される溶着ライン６ａ及び６ｂが配設されている。溶着ライン６ａ及び６ｂの各々は積層部４ａ及び４ｂを幅方向に延びる適宜の形態のラインでよく、図示の典型例においては、長手方向内側に向かって凸状の幅方向内側弧状ライン６ａ−１及び６ｂ−１と長手方向外側に向かって凸状の幅方向外側弧状ライン６ａ−２及び６ｂ−２とを接続した形態である。溶着ライン６ａ及び６ｂ各々の長手方向内側には、ポケット状部８ａ及び８ｂが規定されている。
【国際調査報告】
2017217414.tif 000011
2017217414.tif 000012